(57)【要約】【課題】屋根面に対して多くの機能パネルを設置しながら好適にメンテナンスを行うことができる機能パネル配置構造を提供する。【解決手段】太陽光パネル配置構造Ａは、複数の太陽光パネル５０の連接によって形成されたパネル列Ｒが、陸屋根３上に複数段配置されてなり、複数のパネル列Ｒ同士の間には東西通路Ｐ１が形成され、両端に配置されたパネル列Ｒの少なくとも一方である端パネル列（例えば前端パネル列Ｒｆ）は、陸屋根３の外周縁４に沿って配置され、外周縁４に沿って配置されたパネル列Ｒと外周縁４との間の幅Ｗ１は、東西通路の幅Ｗ２よりも小さい。【選択図】図２
2016166520.tif 000002
【特許請求の範囲】
【請求項１】
複数の機能パネルの連接によって形成されたパネル列が、略平坦屋根上に複数段配置されている機能パネル配置構造であって、
複数の前記パネル列同士の間には通路が形成され、
両端に配置された前記パネル列の少なくとも一方である端パネル列は、前記略平坦屋根の外周縁に沿って配置され、
前記外周縁に沿って配置された前記端パネル列と前記外周縁との間の幅は、前記通路の幅よりも小さいことを特徴とする機能パネル配置構造。
【請求項２】
前記端パネル列の前記機能パネルは、前記通路側から取り外し操作可能な取り付け部を介して前記略平坦屋根に着脱自在に取り付けられていることを特徴とする請求項１記載の機能パネル配置構造。
【請求項３】
前記機能パネルは、架台を介して前記略平坦屋根に取り付けられていることを特徴とする請求項２に記載の機能パネル配置構造。
【請求項４】
前記取り付け部は、前記機能パネルを前記架台に固定する締結部を備えており、
前記取り外し操作とは、前記締結部の締緩作業であることを特徴とする請求項３記載の機能パネル配置構造。
【請求項５】
前記略平坦屋根は矩形状領域を有し、
前記矩形状領域の少なくとも３辺は、南側、東側、及び西側に配置され、
複数段の前記パネル列からなるパネル列群は、前記矩形状領域に対応した矩形状であり、
前記端パネル列は、前記矩形状領域の南側の外周縁に沿って配置され、
前記パネル列群の東側及び西側の両側縁のうち、少なくとも一方の側縁と前記矩形状領域の外周縁との間には、前記通路に連通すると共に、南北方向に延びる南北通路が形成されていることを特徴とする請求項１〜４のいずれか一項記載の機能パネル配置構造。
【請求項６】
前記略平坦屋根には、前記南北通路から階下に通じる昇降手段が設けられていることを特徴とする請求項５記載の機能パネル配置構造。
【請求項７】
前記略平坦屋根には、前記南北通路から階下に通じる昇降手段を取り付けるための設置可能構造が設けられていることを特徴とする請求項５記載の機能パネル配置構造。
【請求項８】
前記昇降手段の下端は、階下のベランダ、または地上の空きスペースに繋がることを特徴とする請求項６又は７記載の機能パネル配置構造。
【請求項９】
前記架台を支持する柱脚の少なくとも一つは、前記外周縁に沿った屋根梁の上方に配置されていることを特徴とする請求項３または４記載の機能パネル配置構造。
【請求項１０】
前記機能パネルは矩形状であり、前記複数の機能パネルの短辺同士が連接されて前記パネル列が形成されていることを特徴とする請求項１〜９のいずれか一項記載の機能パネル配置構造。
【請求項１１】
前記機能パネルは矩形状であり、前記複数の機能パネルの長辺同士が連接されて前記パネル列が形成されていることを特徴とする請求項１〜９のいずれか一項記載の機能パネル配置構造。
【発明の詳細な説明】
【技術分野】
【０００１】
本発明は、機能パネル配置構造に関する。
【背景技術】
【０００２】
従来、建物の屋根面に対して太陽光パネルを支持するための構造が知られている。例えば特許文献１には、太陽光パネルを支持する支持架台が開示されている。この支持架台は、屋根に突出して設けられる支柱と、支柱に支持される一対の縦材と、縦材に架設される横材とを備えている。
【先行技術文献】
【特許文献】
【０００３】
【特許文献１】特開２０１３−１４４９１７号公報
【発明の概要】
【発明が解決しようとする課題】
【０００４】
一般に、建物の屋根面に対して機能パネルとして例えば太陽光パネルを設置する場合、総発電量を高めるために、屋根面に設置される太陽光パネルの枚数が多いことが望まれている。そこで、例えば、屋根面に対して太陽光パネルを隙間なく敷き詰めることが考えられる。一方で、屋根面に設置された太陽光パネルや屋根面には、定期的なメンテナンスが必要であり、太陽光パネルを隙間なく敷き詰めているとメンテナンス時の作業性が低下する。
【０００５】
本発明は、屋根面に対して多くの機能パネルを設置しながら好適にメンテナンスを行うことができる機能パネル配置構造を提供することを目的とする。
【課題を解決するための手段】
【０００６】
本発明の機能パネル配置構造は、複数の機能パネルの連接によって形成されたパネル列が、略平坦屋根上に複数段配置されている機能パネル配置構造であって、複数のパネル列同士の間には通路が形成され、両端に配置されたパネル列の少なくとも一方である端パネル列は、略平坦屋根の外周縁に沿って配置され、外周縁に沿って配置された端パネル列と外周縁との間の幅は、通路の幅よりも小さい。
【０００７】
このような機能パネル配置構造によれば、外周縁に対して端パネル列を近接させて配置させることができるので、屋根面に配置される機能パネルを増加させることができる。一方で、パネル列同士は通路を空けて配置されているため、全てのパネル列には隣接して通路が設けられることになる。よって、作業者は、当該通路を歩行することで屋根面を移動することができる。したがって、屋根面に対して多くの機能パネルを設置しながら好適にメンテナンスを行うことができる。また、機能パネルが太陽光を電気や熱にエネルギー変換する機能パネルである場合には、パネル列同士が通路を空けて配置されているので、日射方向に位置する前列の機能パネルの影が隣接する後列の機能パネルにかかることを抑制することができる。
【０００８】
また、端パネル列の機能パネルは、通路側から取り外し操作可能な取り付け部を介して略平坦屋根に着脱自在に取り付けられていてもよい。この場合、端パネル列に対して、通路側からの取り外し操作のみによって機能パネルの着脱を行うことができる。
【０００９】
また、機能パネルは、架台を介して略平坦屋根に取り付けられていてもよい。この場合、複数の機能パネルを整然と容易に並べて設置できる。
【００１０】
また、取り付け部は、機能パネルを架台に固定する締結部を備えており、取り外し操作とは、締結部の締緩作業であってもよい。この場合、比較的単純な構造によって機能パネルを架台に固定することができる。
【００１１】
また、略平坦屋根は矩形状領域を有し、矩形状領域の少なくとも３辺は、南側、東側、及び西側に配置され、複数段のパネル列からなるパネル列群は、矩形状領域に対応した矩形状であり、端パネル列は、矩形状領域の南側の外周縁に沿って配置され、パネル列群の東側及び西側の両側縁のうち、少なくとも一方の側縁と矩形状領域の外周縁との間には、通路に連通すると共に、南北方向に延びる南北通路が形成されていてもよい。これによれば、複数の通路が形成された場合であっても、全ての通路が南北通路に接続される。そのため、南北通路を通ることによって、一の通路から他の通路に容易に移動することができる。
【００１２】
また、略平坦屋根には、南北通路から階下に通じる昇降手段や、昇降手段を取り付けるための設置可能構造が設けられていてもよい。また、昇降手段の下端は、階下のベランダ、または地上の空きスペースに繋がっていてもよい。複数の通路が形成された場合であっても、全ての通路に対して昇降手段から南北通路を介して容易にアクセスできる。
【００１３】
また、架台を支持する柱脚の少なくとも一つは、外周縁に沿った屋根梁の上方に配置されていてもよい。外周縁に沿った屋根梁の上方に柱脚を配置することにより、重心が外に出ない範囲で最も屋根面の外周部まで機能パネルを設置することができる。また、機能パネルの荷重は、架台を介して柱脚に伝わる。柱脚は屋根梁の上方に配置されているので、柱脚で受けた荷重は下方の屋根梁に伝わる。これにより、柱脚を受けるための補助的な梁が不要になり、軽量化に有利になる。
【００１４】
また、上記の機能パネル配置構造において、機能パネルは矩形状であり、複数の機能パネルの短辺同士が連接されてパネル列が形成されたり、複数の機能パネルの長辺同士が連接されてパネル列が形成されたりしてもよい。
【発明の効果】
【００１５】
本発明の機能パネル配置構造によれば、屋根面に対して多くの機能パネルを設置しながら好適にメンテナンスを行うことができる。
【図面の簡単な説明】
【００１６】
【図１】図１は、本発明の一実施形態に係る太陽光パネル配置構造を備えた建物を示すものであり、（ａ）は正面図、（ｂ）は側面図である。
【図２】図２は、太陽光パネル配置構造を示す平面図である。
【図３】図３は、太陽光パネル配置構造の南北方向に沿った断面図である。
【図４】図４は、太陽光パネル配置構造の東西方向に沿った断面図である。
【図５】図５は、図４の部分拡大図である。
【図６】図６は、図３の部分拡大図である。
【図７】図７は、図３の部分拡大図である。
【図８】図８は、前端パネル列の回動姿勢を説明する図であり、（ａ）は回動前、（ｂ）は回動後を示している。
【図９】図９は、後端パネル列の回動姿勢を説明する図であり、（ａ）は回動前、（ｂ）は回動後を示している。
【図１０】図１０は、前端パネル列における太陽光パネルの前端側の固定の変形例を示す図である。
【図１１】図１１は、第１の変形例に係る太陽光パネル配置構造を示す平面図である。
【図１２】図１２は、図１１のＸＩＩ−ＸＩＩ線に沿った断面図である。
【図１３】図１３は、図１１の部分断面図であり、（ａ）はａ−ａ線に沿った断面図であり、（ｂ）はｂ−ｂ線に沿った断面図である。
【図１４】図１４は、第２の変形例に係る太陽光パネル配置構造を示す平面図である。
【図１５】図１５は、第３の変形例に係る太陽光パネル配置構造を示す平面図である。
【図１６】図１６は、第４の変形例に係る太陽光パネル配置構造を示す平面図である。
【発明を実施するための形態】
【００１７】
以下、本発明に係る実施の形態について図面を参照しながら具体的に説明する。便宜上、実質的に同一の要素には同一の符号を付し、その説明を省略する場合がある。
【００１８】
図１に示されるように建物１は、鉄骨ラーメン構造の架構を有する工業化住宅であり、予め規格化(標準化)された構造部材の組み合わせによって架構が構成される。なお、本実施形態では鉄骨ラーメン構造の架構を備えた工業化住宅を例に説明するが、軸組構造（ピンブレース構造）や木造の架構であってもよい。建物１は、所定の平面モジュールを有している。この平面モジュールとは、建築において設計上の基準となる基本寸法を意味し、建物１は、平面的寸法が平面モジュールの整数倍となるように構成される。本実施形態における建物１は、例えば３０５ｍｍの平面モジュールを有する二階建てであり、屋上となる略平坦な陸屋根（略平坦屋）３に太陽光パネル（機能パネル）５０を備えている。また、陸屋根３の階下である二階には、ベランダ５が形成されている。図示例の建物１は、南側に正面が向くように建てられている。
【００１９】
なお、本明細書の説明において、「南側」、「北側」、「東側」、及び「西側」とは、厳密に真南、真北、真東、及び真西のみを示すものではない。例えば、南側を「方位南の±４５度以内」と定義し、南側を正面とした場合、正面から見て、右側の南側面に直行する側を東側、東側と対峙する側を西側、南側と対峙する側を北側としてもよい。南側の定義は、上記のものに限定されず、さらに広い範囲を含めてもよい。また、南北方向及び東西方向についても、厳密な方位に従うものではなく、本明細書で定義される南側と北側とを結ぶ方向、及び、東側と西側とを結ぶ方向を南北方向及び東西方向とする。
【００２０】
図２は、太陽光パネル配置構造（機能パネル配置構造）Ａを示すものであり、建物１の平面図である。図２では、紙面上側が北側を示し、下側、右側、左側がそれぞれ南側、東側、西側を示す。なお、説明の都合上、紙面下側を前方とし、紙面上側を後方とする場合がある。図２に示されるように、建物１の陸屋根３には、複数の太陽光パネル５０が配置されている。建物１の陸屋根３は、平面視において略矩形状をなす矩形状領域３ａである屋根面を有している。この矩形状領域３ａは、陸屋根３の屋根面の外周縁４に沿って形成されたパラペット６の平面視における内側である。
【００２１】
外周縁４は、建物１の架構を構成する屋根梁２のうち、特に建物１の外周に沿って配置された外周梁２ａの中心を通る仮想の鉛直面と屋根面との交線の位置を想定している。なお、建物に庇がある場合も、庇の外周部に梁がある場合は、庇の外周部の梁を外周梁とする。南側の外周縁である南端縁４Ｓ、北側の外周縁である北端縁４Ｎ、東側の外周縁である東端縁４Ｅ、及び、西側の外周縁である西端縁４Ｗからなっている。太陽光パネル５０は、東西方向に複数連接されることによってパネル列Ｒを形成している。なお、連接とは、連続して配置される太陽光パネル５０の隣同士が厳密に接触している場合だけでなく、所定の隙間をあけて太陽光パネル５０が配置されている場合も含む。例えば、固定用部材等によって隣り合う太陽光パネル同士が数ｃｍ程度（例えば５ｃｍ未満）の隙間をあけて接続されていても連接に含まれる。また、パネル列Ｒは、南北方向に所定の間隔を空けて複数段配置されることによってパネル列群Ｇを形成している。本実施形態におけるパネル列Ｒは、東西方向に連接された６枚の太陽光パネル５０によって形成されている。また、パネル列群Ｇは、南北方向に配置された６段のパネル列Ｒによって形成されている。
【００２２】
パネル列群Ｇにおける互いに隣接するパネル列Ｒ同士の間隔は、東西方向に延びる東西通路Ｐ１となっている。すなわち、６段のパネル列Ｒによって形成されるパネル列群Ｇは、５本の東西通路Ｐ１を備えている。また、６段のパネル列Ｒのうち、最も南側に配置されたパネル列は前端パネル列（端パネル列）Ｒｆであり、最も北側に配置されたパネル列は、後端パネル列（端パネル列）Ｒｒである。前端パネル列Ｒｆと後端パネル列Ｒｒとの間には、南北方向に並ぶ４段のパネル列Ｒが配置されている。
【００２３】
前端パネル列Ｒｆと後端パネル列Ｒｒとの間に配置された４段のパネル列Ｒ同士の間には、東西通路Ｐ１が形成されている。また、前端パネル列Ｒｆと前端パネル列Ｒｆの北側のパネル列Ｒとの間には、東西通路Ｐ１が形成されている。また、後端パネル列Ｒｒと後端パネル列Ｒｒの南側のパネル列Ｒとの間には、東西通路Ｐ１が形成されている。
【００２４】
前端パネル列Ｒｆは、矩形状領域３ａの南側の外周縁である南端縁４Ｓに沿って配置されている。前端パネル列Ｒｆと南端縁４Ｓとの間の幅Ｗ１は、東西通路Ｐ１の幅Ｗ２より小さく形成されている。本実施形態では、前端パネル列Ｒｆと南端縁４Ｓとの間の幅Ｗ１が例えば約５０〜１４０ｍｍ程度であり、東西通路Ｐ１の幅Ｗ２が約２００〜３００ｍｍ程度となっている。また、後端パネル列Ｒｒは、矩形状領域３ａの北側の外周縁である北端縁４Ｎに沿って配置されている。後端パネル列Ｒｒと北端縁４Ｎとの間の幅Ｗ３は、東西通路Ｐ１の幅Ｗ２より小さく形成されている。本実施形態では、後端パネル列Ｒｒと北端縁４Ｎとの間の幅Ｗ３が例えば約１００〜１８０ｍｍ程度である。なお、前端パネル列Ｒｆと南端縁４Ｓとの間の幅Ｗ１とは、南端縁４Ｓを通る仮想の鉛直面から前端パネル列Ｒｆまでの水平距離である。後端パネル列Ｒｒと北端縁４Ｎとの間の幅Ｗ３とは、北端縁４Ｎを通る仮想の鉛直面から後端パネル列Ｒｒまでの水平距離である。
【００２５】
パネル列群Ｇの東側及び西側の両側縁のうち、少なくとも一方の側縁と矩形状領域３ａの外周縁４との間には、南北方向に延びる南北通路Ｐ２が形成されている。南北通路Ｐ２は、東西通路Ｐ１に連通している。本実施形態では、パネル列群Ｇの西側の側縁ＧＷは、平面視において、西側の外周縁である西端縁４Ｗに略一致している。一方、パネル列群Ｇの東側の側縁ＧＥは、東側の外周縁である東端縁４Ｅから所定の間隔を空けて配置されている。パネル列群Ｇの東側の側縁ＧＥと、東端縁４Ｅとの間隔によって南北通路Ｐ２が形成されている。本実施形態における南北通路Ｐ２の幅Ｗ４は、東西通路Ｐ１の幅より広く形成されており、例えば約２５０〜６００ｍｍ程度の幅に形成されている。なお、南北通路Ｐ２の幅Ｗ４とはパネル列群Ｇの東側の側縁から東端縁４Ｅを通る仮想の鉛直面までの水平距離である。
【００２６】
陸屋根３には、南北通路Ｐ２から階下に通じる昇降手段が設けられている。本実施形態では、陸屋根３の東端縁４Ｅに、パラペット６を越えて階下に繋がる梯子Ｌａ（図１参照）が設けられている。この梯子Ｌａは、常設されていてもよいが、通常は陸屋根３または外壁面に形成された設置可能構造に対して取り外し可能であり、メンテナンス時に作業者によって用意される。実施形態では、陸屋根３に設置可能構造としてのフックが設けられており、このフックに梯子Ｌａの上端を取り付けることができる。なお、設置可能構造は、フックに限定されるものではなく、梯子の上端を取り付けるための構造を有していればよい。この梯子の下端は、例えば、地上の空きスペースＳＰに繋がっている。また、南北通路Ｐ２から階下に通じる昇降手段としてベランダ５に繋がる梯子（図示省略）であってもよい。例えば、ベランダ５の上方に位置する南北通路Ｐ２の床に開閉式の扉を設け、その扉の下方にベランダ５に繋がる梯子を設置することもできる。
【００２７】
次に、陸屋根３に対する太陽光パネル５０の固定構造について図３〜図９を参照して詳細に説明する。図３及び図４に示されるように、太陽光パネル５０は、架台３０に取り付けられており、架台３０は柱脚２１に固定されて支持されている。柱脚２１は、建物１の架構を構成する屋根梁２の上方に固定されて陸屋根３上に突出している。本実施形態における屋根梁２は、外周縁４に沿って配置される外周梁２ａを有し、外周梁２ａ上方に柱脚２１が配置されている。
【００２８】
図６に示されるように、陸屋根３は、屋根梁２によって支持される例えばＡＬＣパネルによって形成される床パネル１１と、床パネル１１の上面側に配置される断熱材１２と、断熱材１２を上側に配置されるボード１３と、ボード１３の上面に貼着される防水シート１４とを有している。なお、床パネル１１と外壁パネル１５との間にはモルタル１６が打設されている。
【００２９】
陸屋根３の外周には、防水鋼板１８が設けられている。防水鋼板１８は、パラペット６を形成する外壁パネル１５の上端からその内側を、パラペット６の形状に沿って被覆し、さらに、陸屋根３における屋根面の外周を所定の幅で被覆している。防水鋼板１８の内周側の縁は防水シート１４によって被覆されている。
【００３０】
図３に示されるように、少なくとも柱脚２１の一部（例えば南北方向の両端に配置された柱脚２１）は、屋根梁２を構成する外周梁２ａの上方に固定されている。なお、本実施形態では、後述のように柱脚２１が床パネル１１に対してアンカー固定されている例を示しているが、例えば柱脚２１が外周梁２ａ（屋根梁２）に対して締結固定されていてもよい。いずれの場合であっても、外周梁２ａの上方に柱脚２１を配置することにより、重心が外に出ない範囲で最も屋根面の外周部まで太陽光パネル５０を設置することができる。なお、柱脚２１が外周梁２ａに締結固定されている方が、柱脚２１を強固に接続できる。また、柱脚２１が外周梁２ａに締結固定される場合には、柱脚２１を下方から支持のための補助的な梁を別途設ける必要がなく、建物１の軽量化を図ることができる。
【００３１】
また、図２に示されるように、陸屋根３には、建物１の南北方向の中央にも柱脚２１が配置されている。この柱脚２１の下方には、屋根梁２の一部である東西方向に延びる梁が形成されている。屋根梁２は、外周梁２ａを含む東西方向に延びる梁と、西側及び東側の側縁で南北方向に延びる一対の梁とを有し、東西方向に延びる梁と南北方向に延びる梁とは互いに直交する。東西方向に延びる梁に支えられた柱脚２１は、南北方向に延びる梁から少なくとも１モジュール以上離れた位置に固定されている。例えば、最も西側に固定されている柱脚２１Ｗは、西側の南北方向に延びる梁から１モジュール離れた位置に固定されており、最も東側に固定されている柱脚２１Ｅは、東側の南北方向に延びる梁から２モジュール離れた位置に固定されている。つまり、南北に延びる西側及び東側の梁の上方には、柱脚２１は固定されていない。
【００３２】
柱脚２１は、架台３０を支持するために陸屋根３に固定された部材である。柱脚２１（図６参照）は、床パネル１１等に固定されたベース部２１ａと、ベース部２１ａに取り付けられ円筒状の脚部２１ｂと、脚部２１ｂの上端に接合された板状の支持部２１ｃとを有している。ベース部２１ａは、屋根梁２（図６においては外周梁２ａ）の上方であって断熱材１２の下側に配置され、床パネル１１及びモルタル１６に対してアンカーボルト２３によって固定されている。脚部２１ｂは、断熱材１２及び防水鋼板１８に形成された貫通孔を貫通して陸屋根３の上方に向かって突出している。脚部２１ｂと、防水鋼板１８との境目には止水処理が施されている。
【００３３】
架台３０（図２参照）は、南北方向に延在する縦材３１と、東西方向に延在する横材３４とを有しており、ジョイント金物４１を介して、柱脚２１に固定されている。ジョイント金物４１（図５参照）は、断面略コ字状の板状部材であり、矩形板状の底面部４１ａと、底面部４１ａの一端から上方に立ち上がる側面部４１ｂと、側面部４１ｂの上端で水平に延在する板状の上面部４１ｃとを有している。ジョイント金物４１は、底面部４１ａが柱脚２１の支持部２１ｃに対してボルト４２ａ及びナット４２ｂによって固定されることで、柱脚２１に固定される。水平方向に長い矩形板状の側面部４１ｂには、その長手方向の両端のそれぞれに縦材３１を固定するためのボルト孔４１ｄが形成されている。
【００３４】
縦材３１（図３参照）は、その両端がジョイント金物４１に対して固定されることで、南北に延在するように陸屋根３に固定される。縦材３１（図５参照）は、断面略コ字状の長尺部材であり、板状の底面部３１ａと、底面部３１ａの一端から上方に立ち上がる側面部３１ｂと、側面部３１ｂの上端で水平に延在する板状の上面部３１ｃとを有している。また、底面部３１ａ及び上面部３１ｃにおける側面部３１ｂと反対側の端部には、下向きに突出するとともに長手方向に延びるリブ３１ｄ，３１ｅがそれぞれ形成されている。
【００３５】
縦材３１は、ジョイント金物４１の長手方向の一端側においてジョイント金物４１の上面部４１ｃに支持された状態で、その側面部３１ｂがジョイント金物４１の側面部４１ｂに対してボルト４４ａ及びナット４４ｂによって固定される。同様に、縦材３１においては、その他端が別の柱脚２１に固定されたジョイント金物４１に固定される。本実施形態では、図２に示されるように、２本の縦材３１が連接されて南北方向に延在している。一方の縦材３１は、南側の外周梁２ａの上方と南北方向の中央の屋根梁２の上方とにそれぞれ固定された柱脚２１に支持されている。また、他方の縦材３１は、北側の外周梁２ａの上方と南北方向の中央の屋根梁２の上方とにそれぞれ固定された柱脚２１に支持されている。
【００３６】
なお、陸屋根３の外周側に固定されるジョイント金物４１においては、長手方向一端側のボルト孔４１ｄのみが使用されている。そのため、当該ジョイント金物４１においては、使用されないボルト孔４１ｄが形成されている側（外側）の端縁を所定形状に加工してもよい。例えば、ジョイント金物４１における使用されないボルト孔が形成されている側を、屋根の周縁（パラペット６の上端）と、この周縁から最短の距離にある太陽光パネル５０の周縁とを結ぶ仮想直線の屋根側に収まるように、形成してもよい。この場合、地上から建物１を見上げたときに、太陽光パネル５０が視認できる角度でなければジョイント金物４１を視認することができないので、建物１全体での意匠性が向上する。
【００３７】
横材３４（図２参照）は、複数の縦材３１に架設されることで、東西方向に延在するように陸屋根３に固定される。本実施形態では、各パネル列Ｒに対応して最低２本の横材３４が必要であり、これらの横材３４は太陽光パネル５０の大きさに応じた所定の間隔で縦材３１に固定されている。また、一のパネル列Ｒに対応した後側の横材３４と、このパネル列Ｒの北側に配置されるパネル列Ｒの前側の横材３４とは一定の間隔を空けて配置されている。本実施形態では、太陽光パネル５０の影（例えば、北緯３４度の地点においては、冬季（冬至）の南中高度である約３２度の太陽光によって生じる影）が、北側に隣接する太陽光パネル５０に届かないように、横材３４の間隔が空けられている。
【００３８】
横材３４（図８参照）は、断面ハット形状の長尺部材であり、傾斜した支持部３４ａと、支持部３４ａの前端及び後端からそれぞれ下方に延在する前側面部３４ｂ及び後側面部３４ｃと、前側面部３４ｂ及び後側面部３４ｃの下端からそれぞれ外側に延在するベース部３４ｄとを有している。支持部３４ａは、太陽光パネル５０の設置角度と略同じ角度となるように、前側（南側）に下るように傾斜している。本実施形態では、支持部３４ａの傾斜は、例えば約１０度となっている。横材３４のベース部３４ｄは、複数の縦材３１の上面部３１ｃに対してボルト３５ａ及びナット３５ｂによって固定されている。
【００３９】
前端パネル列Ｒｆにおける太陽光パネル５０の前端側（南側）と後端側（北側）とは、それぞれに対応する横材３４に固定されている。太陽光パネル５０の前端側（南側）にはヒンジ部（取り付け部）６０が設けられている。太陽光パネル５０は、ヒンジ部６０を介して架台３０の横材３４に着脱自在に取り付けられている。ヒンジ部６０は、北側の東西通路Ｐ１側から取り外し操作可能な締結部６５を備えている。この取り外し操作とは、締結部６５の締緩作業、つまり、締結部６５を締めることで固定でき、緩めることで取り外し可能となる作業である。
【００４０】
ヒンジ部６０は、太陽光パネル５０のフレーム部５３に固定された可動部６３と、回動軸６２を介して可動部６３に回動自在に取り付けられた固定部６１とを有し、固定部６１は、締結部６５を介して横材３４に固定されている。締結部６５は東西方向に沿った軸線を有するボルト６５ａ及びナット６５ｂを備えている。作業員は、東西通路Ｐ１側からヒンジ部６０を支点に太陽光パネル５０を持ち上げ、太陽光パネル５０の下方に作業スペースを作る。作業員は、作業スペースに入り、その場所でボルト６５ａ及びナット６５ｂの締緩作業を行って太陽光パネル５０の取り外しを行う。
【００４１】
また、太陽光パネル５０の後端側（北側）には、太陽光パネル５０の所定の傾斜角度を確保すべく所定高さの固定ピース（取り付け部）７１が固定されている。固定ピース７１は架台３０の横材３４に締結部７３を介して着脱自在に取り付けられている。締結部７３はボルト７３ａ及びナット７３ｂを備えている。締結部７３は東西通路Ｐ１に隣接して設けられているので、東西通路Ｐ１側から取り外し操作可能である。この取り外し操作とは、締結部７３の締緩作業、つまり、締結部７３を締めることで固定でき、緩めることで取り外し可能となる作業である。
【００４２】
図７、及び図８に示されるように、後端パネル列Ｒｒにおける太陽光パネル５０の前端側（南側）と後端側（北側）とは、それぞれに対応する横材３４に固定されている。太陽光パネル５０の後端側（北側）にはヒンジ部８０が設けられている。太陽光パネル５０は、ヒンジ部８０を介して架台３０の横材３４に着脱自在に取り付けられている。ヒンジ部８０は、東西通路Ｐ１側から取り外し操作可能な締結部８５（図７参照）を備えている。この取り外し操作とは、締結部８５の締緩作業、つまり、締結部８５を締めることで固定でき、緩めることで取り外し可能となる作業である。
【００４３】
ヒンジ部８０は、太陽光パネル５０のフレーム部５３に固定された可動部８３と、回動軸８２を介して可動部８３に回動自在に取り付けられた固定部８１とを有し、固定部８１は、締結部８５を介して横材３４に固定されている。締結部８５はボルト８５ａ及びナット８５ｂを備えている。作業員は、東西通路Ｐ１側からヒンジ部８０を支点に太陽光パネル５０を持ち上げ、太陽光パネル５０の下方に作業スペースを作る。作業員は、作業スペースに入り、その場所でボルト８５ａ及びナット８５ｂの締緩作業を行って太陽光パネル５０の取り外しを行う。
【００４４】
また、太陽光パネル５０の前端側（南側）には、固定ピース（取り付け部）７５が固定されている。固定ピース７５は架台３０の横材３４に締結部７６を介して着脱自在に取り付けられている。締結部７６はボルト７６ａ及びナット７６ｂを備えている。締結部７６は東西通路Ｐ１に隣接して設けられているので、東西通路Ｐ１側から取り外し操作可能である。この取り外し操作とは、締結部７６の締緩作業、つまり、締結部７６を締めることで固定でき、緩めることで取り外し可能となる作業である。
【００４５】
上述した太陽光パネル５０及び陸屋根３をメンテナンスする場合、作業者は、南北通路Ｐ２及び東西通路Ｐ１を移動しながら太陽光パネル５０の着脱操作を行う。まず、前端パネル列Ｒｆの着脱操作について説明する。作業者は、南北通路Ｐ２から、前端パネル列Ｒｆの北側に隣接する東西通路Ｐ１に移動する。そして、固定ピース７１を横材３４に固定しているナット７３ｂを東西通路Ｐ１側から操作して取り外す。続いて、ヒンジ部６０を回動中心として、図８（ｂ）のように、太陽光パネル５０を上側に跳ね上げる。これによって、作業者は東西通路Ｐ１側から太陽光パネル５０の前端側を固定する横材３４にアクセスすることができる。この状態で、作業者は、ヒンジ部６０と横材３４とを固定しているナット６５ｂを東西通路Ｐ１側から操作して取り外す。以上の操作によって、架台３０から太陽光パネル５０を取り外すことができる。これによって、作業者は、その太陽光パネル５０が配置されていた位置の陸屋根３の点検及び補修を行うことができる。点検及び補修が終了した後は、取り外しと逆の手順によって太陽光パネル５０を架台３０に取り付けることができる。
【００４６】
後端パネル列Ｒｒの着脱操作について説明する。作業者は、南北通路Ｐ２から、後端パネル列Ｒｒの南側に隣接する東西通路Ｐ１に移動する。そして、固定ピース７５を横材３４に固定しているナット７６ｂを東西通路Ｐ１側から操作して取り外す。続いて、図９（ｂ）のように、ヒンジ部８０を回動中心として、太陽光パネル５０を上側に跳ね上げる。これによって、作業者は東西通路Ｐ１側から太陽光パネル５０の後端側を固定する横材３４にアクセスすることができる。この状態で、作業者は、ヒンジ部８０と横材３４とを固定しているナット８５ｂを東西通路Ｐ１側から操作して取り外す。以上の操作によって、架台３０から太陽光パネル５０を取り外すことができる。これによって、作業者は、その太陽光パネル５０が配置されていた位置の陸屋根３の点検及び補修を行うことができる。点検及び補修が終了した後は、取り外しと逆の手順によって太陽光パネル５０を架台３０に取り付けることができる。なお、前端パネル列Ｒｆ及び後端パネル列Ｒｒ以外の南北方向の内側に配置されるパネル列Ｒにおける太陽光パネル５０は、南側及び北側に隣接する東西通路Ｐ１から固定ピース７１，７５を取り外すことによって太陽光パネル５０を取り外すことができる。
【００４７】
上記の実施形態（図２参照）では、太陽光パネル（機能パネル）５０が東西方向に複数連接されることによってパネル列Ｒが形成されている。より具体的に説明すると、太陽光パネル５０は、一対の長辺５０ａと一対の短辺５０ｂとを有する矩形状であり、複数の太陽光パネル５０の短辺５０ｂ同士が連接されてパネル列Ｒが形成されている。なお、パネル列Ｒは、東西方向に連接された複数の太陽光パネル５０によって形成されており、南北方向に配置された複数段のパネル列Ｒによってパネル列群Ｇが形成されている。
【００４８】
パネル列群Ｇを形成する複数段のパネル列Ｒ同士の間には、東西通路Ｐ１が形成されている。また、太陽光パネル５０の長辺５０ａは、東西通路Ｐ１に沿うように配置されている。以下、太陽光パネル５０の長辺５０ａが東西通路Ｐ１に沿うように配置されたパネル列Ｒを横配置のパネル列Ｒと称し、短辺５０ｂが東西通路Ｐ１に沿うように配置されたパネル列Ｒを縦配置のパネル列Ｒと称する場合がある。また、パネル列群Ｇの東側及び西側の両側縁のうち、少なくとも一方の側縁と矩形状領域３ａの外周縁４との間には、南北方向に延びる南北通路Ｐ２が形成されている。南北通路Ｐ２は、東西通路Ｐ１に連通している。
【００４９】
太陽光パネル５０は架台３０に支持されており、架台３０は太陽光パネル５０を支持する横材３４と、横材３４を支持する縦材３１とを備えている。パネル列Ｒは、東西方向に延在する一対の横材３４によって支持されている。また、縦材３１は、横材３４を安定して支持するために横材３４に交差しており、少なくともパネル列Ｒの両端側にそれぞれ必要となる。本実施形態では、両端の一対の縦材３１同士の間に、追加にて二本の縦材３１が配置されている。複数本の縦材３１は、東西方向で対称となるように配置されている。
【００５０】
上記の実施形態（基本形態）に対し、図１１に示されるような変形形態（第１の変形形態）であってもよい。以下の変形形態に係る説明では、上述の基本形態との相違点を中心に説明し、共通する要素や構造について詳細な説明を省略する。
【００５１】
第１の変形形態では、複数の太陽光パネル（機能パネル）５０の長辺５０ａ同士が連接されて縦配置のパネル列Ｒが形成されている。図１２に示されるように、太陽光パネル５０は、それぞれに対応する横材３４と、太陽光パネル５０の前端が当接される位置決めプレート９１とによって位置決めがなされている。位置決めプレート９１は、複数の縦材３１間にわたって横材３４と平行に配置される。位置決めプレート９１は、断面略Ｌ字状をなしており、縦材３１に固定される底部９１ａと、太陽光パネル５０の前端面に当接される側部９１ｂとを有する。また、側部９１ｂの上端には、折り返し部９１ｃが形成されている。折り返し部９１ｃがリブとして機能することで、位置決めプレート９１（側部９１ｂ）の強度が向上する。太陽光パネル５０の前端部は、底部９１ａと折り返し部９１ｃとの間に差し込まれた状態で、側部９１ｂに当接される。なお、位置決めプレートは、太陽光パネル５０の前後方向の位置決めが可能な形状であればよく、例えば折り返し部９１ｃを有しない断面Ｌ字形や、いわゆるハット形状等であってもよい。位置決めプレート９１の存在により、太陽光パネル５０を整列して設置することが容易になるばかりか、後述のように作業員が太陽光パネル５０を取り外した際に、太陽光パネル５０が滑り落ちることが抑制でき、安全に作業することが可能になる。
【００５２】
２本の横材のうち前側（南側）に配置される横材３４の支持部３４ａには、太陽光パネル５０が支持される。また、後側（北側）に配置される横材３４に支持部３４ａには、固定ピース７１を介して太陽光パネル５０が支持される。図１３（ａ）に示されるように、支持部３４ａと太陽光パネル５０とは固定具９３によって固定されている。固定具９３は、断面視において、支持部３４ａに離間して対向する底部９３ａと、底部９３ａの両端縁から立設される一対の側部９３ｂと、側部９３ｂの上端から左右方向に互いに離れる方向に延在する爪部９３ｃとを有している。固定具９３の底部９３ａは、ボルト９４ａ及びナット９４ｂによって横材３４に固定される。側部９３ｂの高さは、太陽光パネル５０の厚さよりも小さくなっている。固定具９３の底部９３ａが横材３４に固定された状態では、ボルト９４ａ及びナット９４ｂの締め付けによって、太陽光パネル５０が横材３４の支持部３４ａと爪部９３ｃとで挟持される。底部９３ａは、一対の側部９３ｂの間に形成されており、上方に向かって開放されている。そのため、ボルト９４ａ及びナット９４ｂによる太陽光パネル５０の着脱作業は、太陽光パネル５０の上面側から可能となっている。なお、ナット９４ｂを緩めて太陽光パネル５０を外した際のボルト９４ａの脱落の防止の為、ボルト９４ａが脱落防止ピン等によって横材３４等に保持されるようにしてもよい。
【００５３】
また、図１３（ｂ）に示されるように、パネル列Ｒの端縁では、固定具９５によって太陽光パネル５０が固定される。固定具９５は、断面視において、支持部３４ａに離間して対向する底部９５ａと、底部９５ａの一方側の端縁から上下に延在する側部９５ｂと、底部９５ａの他方側の端縁から下向きに延在する側部９５ｃと、側部９５ｂの上端から一方側に延在する爪部９５ｄとを有している。固定具９５の底部９５ａは、ボルト９６ａ及びナット９６ｂによって横材３４に固定される。側部９５ｂの高さは、太陽光パネル５０の厚さよりも小さくなっている。また、側部９５ｃの下端の位置は、側部９５ｂの下端の位置よりも低くなっている。固定具９５の底部９５ａが横材３４に固定された状態では、側部９５ｃの下端が横材３４の支持部３４ａに当接しており、側部９５ｂの下端は支持部３４ａから浮き上がった状態になっている。そのため、ボルト９６ａ及びナット９６ｂの締め付けによって、太陽光パネル５０が支持部３４ａと爪部９５ｄとで挟持される。底部９５ａは、上方及び側方に向かって開放されている。そのため、ボルト９６ａ及びナット９６ｂによる太陽光パネル５０の着脱作業は、太陽光パネル５０の上面又は側面側から可能となっている。なお、ボルト９６ａについてもボルト９４ａと同様に脱落防止ピン等によって横材３４等に保持されるようにしてもよい。固定ピース７１と太陽光パネル５０との固定も固定具９３、９５によって同様になされる。また、以下に説明する第２〜４の変形形態においても、太陽光パネル５０の固定方法は、同様である。
【００５４】
南北方向に配置された４段のパネル列Ｒによってパネル列群Ｇが形成されている。また、陸屋根３は東西方向に長い矩形状領域３ａを有し、二つ（複数）のパネル列群Ｇが東西方向に並んで配置されている。なお、東側のパネル列群Ｇの東側の側縁及び西側のパネル列群Ｇの西側の側縁のうち、少なくとも一方の側縁と矩形状領域３ａの外周縁４との間には、南北方向に延びる南北通路Ｐ２が形成されている。南北通路Ｐ２は、東西通路Ｐ１に連通している。
【００５５】
二つのパネル列群Ｇは、それぞれ独立しており、一つのパネル列群Ｇを形成する複数のパネル列Ｒそれぞれは、東西方向に延在する一対の横材３４によって支持されている。横材３４は、縦材３１によって支持されている。縦材３１は、横材３４を安定して支持するために横材３４に交差し、少なくともパネル列Ｒの両端側にそれぞれ配置されている。本変形形態では、両端の一対の縦材３１同士の間に、追加にて一本の縦材３１が配置されている。このように、縦材３１が追加されることによって、横材３４が撓むことを抑制することができるとともに、吹上に対する強度を確保することができる。
【００５６】
また、上記の基本形態に対し、図１４に示されるような第２の変形形態であってもよい。第２の変形形態では、第１の変形形態同様に、縦配置のパネル列Ｒが形成されており、南北方向に配置された４段のパネル列Ｒによってパネル列群Ｇが形成されている。また、陸屋根３は東西方向に長い矩形状領域３ａを有し、西側にパネル列群Ｇが配置され、東側には空きスペースＳａが形成されている。空きスペースＳａの南東の隅には階下に繋がる階段Ｋが配置されている。なお、本変形形態に係る空きスペースＳａは、手摺Ｈによって囲まれており、住人等が出入り可能な屋上を想定して構造強度を確保しているが、住人等の出入り不可として単なる屋根スペースとしてもよい。なお、パネル列群Ｇの西側の側縁と、空きスペースＳａとの間には、南北方向に延びる南北通路Ｐ２が形成されている。南北通路Ｐ２は、東西通路Ｐ１に連通している。なお、南北方向における移動は、空きスペースＳａによっても行われる。
【００５７】
パネル列群Ｇを形成する複数のパネル列Ｒそれぞれは、東西方向に延在する一対の横材３４によって支持されている。横材３４は、縦材３１によって支持されている。縦材３１は、横材３４を安定して支持するために横材３４に交差するように配置されると共に、少なくともパネル列Ｒの両端側にそれぞれ配置されている。本変形形態では、両端の一対の縦材３１同士の間に、追加にて一本の縦材３１が配置されている。
【００５８】
また、上記の基本形態に対し、図１５に示されるような第３の変形形態であってもよい。第３の変形形態では、第２の変形形態同様に、縦配置のパネル列Ｒが形成されており、南北方向に配置された２段のパネル列Ｒによってパネル列群Ｇが形成されている。また、陸屋根３は東西方向に長い矩形状領域３ａを有し、二つのパネル列群Ｇが東西方向に並んで配置されている。なお、東側のパネル列群Ｇと西側のパネル列群Ｇとの間には、南北方向に延びる南北通路Ｐ２が形成されている。南北通路Ｐ２は、東西通路Ｐ１に連通している。矩形状領域３ａでは、南側にパネル列群Ｇが配置され、北側には空きスペースＳａが形成されている。空きスペースＳａの北の隅には階下に繋がる階段Ｋが配置されている。階段Ｋは、ペントハウスＰＨの内側に配置されている。なお、本変形形態に係る空きスペースＳａは、手摺Ｈによって囲まれており、住人等が出入り可能な屋上を想定して構造強度を確保しているが、住人等の出入り不可として単なる屋根スペースとしてもよい。
【００５９】
パネル列群Ｇを形成する複数のパネル列Ｒそれぞれは、東西方向に延在する一対の横材３４によって支持されている。横材３４は、縦材３１によって支持されている。縦材３１は、横材３４を安定して支持するために横材３４に交差するように配置されると共に、少なくともパネル列Ｒの両端側にそれぞれ配置されている。本変形形態では、両端の一対の縦材３１同士の間に、追加にて一本の縦材３１が配置されている。
【００６０】
また、上記の基本形態に対し、図１６に示されるような第４の変形形態であってもよい。第４の変形形態では、第１の変形形態同様に、縦配置のパネル列Ｒが形成されており、南北方向に配置された５段のパネル列Ｒによってパネル列群Ｇが形成されている。陸屋根３は南北方向に長い矩形状領域３ａを有し、本変形形態では、一つのパネル列群Ｇが矩形状領域３ａに配置されている。なお、パネル列群Ｇの両側縁のうち、少なくとも一方の側縁と矩形状領域３ａの外周縁４との間には、南北方向に延びる南北通路Ｐ２が形成されている。南北通路Ｐ２は、東西通路Ｐ１に連通している。
【００６１】
パネル列群Ｇを形成する複数のパネル列Ｒそれぞれは、東西方向に延在する一対の横材３４によって支持されている。横材３４は、縦材３１によって支持されている。縦材３１は、横材３４を安定して支持するために横材３４に交差し、少なくともパネル列Ｒの両端側にそれぞれ配置されている。本変形形態では、両端の一対の縦材３１同士の間に、追加にて二本の縦材３１が配置されている。
【００６２】
なお、上述の第１の変形形態では、東西方向に並んで配置された二つのパネル列群Ｇによって計４０枚の太陽光パネル５０が配置され、第４の変形形態では、一つのパネル列群Ｇによって計４０枚の太陽光パネル５０が配置されている。より詳細に説明すると、第１の変形形態では、５枚の太陽光パネル５０によって一つのパネル列Ｒが形成され、四つのパネル列Ｒによって一つのパネル列群Ｇが形成されると共に、二つのパネル列群Ｇが東西方向に並べて配置されている。一方で、第４の変形形態では、８枚の太陽光パネル５０によって一つのパネル列Ｒが形成され、五つのパネル列Ｒによって一つのパネル列群Ｇが形成されており、このパネル列群Ｇが単体で配置されている。
【００６３】
第１の変形形態のように、複数のパネル列群Ｇをそれぞれ独立して配置すると、陸屋根３の形状に対応させ易くなって有利である。一方で、パネル列群Ｇの両端には、一対の縦材３１が必須となるので、パネル列群Ｇの数が増えると、縦材３１の本数も増え易い。例えば、二つのパネル列群Ｇを東西方向に並んで配置する場合、四本の縦材３１が必須であり、更に補助的な縦材３１が必要になる。これに対し、第４の変形形態のように、単体のパネル列群Ｇにて対応すると、基本的には、両端の一対の縦材３１で足り、間に補助的な縦材３１を設けたとしても第１の変形形態に比べ、縦材３１の本数を減らし易くなり、架台３０の重量低減に有利である。また、第１の変形形態から第４の変形形態においては、太陽光パネル５０は、固定具９３または固定具９５にて、上方から押さえるように且つ着脱可能に固定されているので、作業者は東西通路Ｐ１側からの作業によって安全に太陽光パネル５０の着脱を行うことができる。
【００６４】
以上説明した太陽光パネル配置構造Ａによれば、外周縁４に対して前端パネル列Ｒｆ、後端パネル列Ｒｒを近接させて配置させることができるので、陸屋根３に配置される太陽光パネル５０を増加させることができる。一方で、パネル列Ｒ同士は東西通路Ｐ１を空けて配置されているため、全てのパネル列Ｒには隣接して東西通路Ｐ１が設けられることになる。よって、作業者は、東西通路Ｐ１を歩行することで陸屋根３を移動することができる。したがって、陸屋根３に対して多くの太陽光パネル５０を設置しながら好適にメンテナンスを行うことができる。なお、本実施形態では、パラペット６の内側が外周縁４よりも外側にずれており、従って、パラペット６の内側と外周縁４との間にもスペースが存在する。しかしながら、このスペースがあったとしても、前端パネル列Ｒｆや後端パネル列Ｒｒからパラペット６の内側までのスペースは、通常壁内の断熱層の厚さ程度であり、かつ、屋上の排水にかかわる傾斜や排水孔（図示せず）が設置されるため、メンテナンス作業者が通行するに足るスペースとは言えない。また、作業者の安全性を考慮すると、このスペースを含んだ外縁部はメンテナンスに好適とは言えず、本実施形態のように、太陽光パネル５０が東西通路Ｐ１側から取り外し操作可能に取り付けられていると、太陽光パネル５０や屋根面のメンテナンスに好適である。
【００６５】
また、太陽光パネル５０は、陸屋根３に固定された架台３０に取り付けられ、前端パネル列Ｒｆの太陽光パネル５０は、隣接する北側の東西通路Ｐ１側から取り外し操作可能な固定ピース７１及びヒンジ部６０を介して架台３０に着脱自在に取り付けられている。これにより、複数の太陽光パネル５０を整然と容易に並べて設置できる。また、前端パネル列Ｒｆに対して、東西通路Ｐ１側からの取り外し操作のみによって太陽光パネル５０の着脱を行うことができる。また、後端パネル列Ｒｒの太陽光パネル５０は、隣接する南側の東西通路Ｐ１側から取り外し操作可能な固定ピース７５及びヒンジ部８０を介して架台３０に着脱自在に取り付けられている。これにより、後端パネル列Ｒｒに対して、東西通路Ｐ１側からの取り外し操作のみによって太陽光パネル５０の着脱を行うことができる。
【００６６】
また、太陽光パネル５０は、固定ピース７１，７５及びヒンジ部６０，８０に使用されるナットの締緩作業によって着脱操作が行われている。このように、ボルト及びナットのような比較的単純な構造によって太陽光パネル５０を架台３０に固定することができるので、着脱操作が複雑になることがない。
【００６７】
また、陸屋根３は矩形状領域３ａを有し、矩形状領域３ａの少なくとも３辺は、南側、東側、及び西側に配置されている。複数段のパネル列Ｒからなるパネル列群Ｇは、矩形状領域３ａに対応した矩形状であり、前端パネル列Ｒｆ及び後端パネル列Ｒｒは、矩形状領域３ａの南側及び北側の外周縁４に沿って配置されている。また、パネル列群Ｇの東側の側縁と矩形状領域３ａの外周縁４との間には、５本全ての東西通路Ｐ１に連通する南北通路Ｐ２が形成されている。このため、南北通路Ｐ２を通ることによって、一の東西通路Ｐ１から他の東西通路Ｐ１に容易に移動することができる。
【００６８】
また、陸屋根３には、南北通路Ｐ２から階下に通じる梯子（昇降手段）Ｌａが設置可能であり、梯子Ｌａの下端は、地上の空きスペースＳＰに繋がっている。これにより、作業者は、５本全ての東西通路Ｐ１に対して梯子Ｌａから南北通路Ｐ２を介して容易にアクセスできる。
【００６９】
以上、本発明の実施の形態について図面を参照して詳述したが、具体的な構成はこの実施形態に限られるものではない。例えば、陸屋根の平面形状は一例であり、これに限定されるものではない。例えば陸屋根には入隅、吹き抜け等が形成されていてもよい。
【００７０】
また、前端パネル列Ｒｆにおける太陽光パネル５０の前端側（南側）にヒンジ部６０が設けられている例を示したが、これに限定されない。前端パネル列Ｒｆにおける太陽光パネル５０の前端側の固定は、作業者が東西通路Ｐ１側からアクセスすることができればよい。例えば、図１０に示されるように、前端パネル列Ｒｆにおける太陽光パネル５０の前端側は、固定ピース１００によって横材３４に固定されていてもよい。固定ピース１００は、横材３４の後側面に締結部１０１を介して着脱自在に取り付けられている。締結部１０１はボルト１０１ａ及びナット１０１ｂを備えている。締結部１０１は太陽光パネル５０の北側に隣接する東西通路Ｐ１から、太陽光パネル５０の下側に作業者がもぐりこむことで、取り外し操作可能である。
【００７１】
また、南側に正面が向くように建物が建てられている例を示したが、これに限定されず、建物の正面がいずれの方向であっても良いことは言うまでもない。また、太陽光パネルが南を向いて傾斜するように固定している例を示したが、これに限定されない。
【００７２】
また、昇降手段の下端が地上に繋がっている例を示したがこれに限定されず、例えば階下のベランダに繋がっていてもよい。
【００７３】
また、機能パネルとして、太陽光パネル（太陽光発電モジュール）を例示したがこれに限定されない。機能パネルとしては、太陽熱利用システムの集熱パネル、太陽光発電セルが集熱パネルの表面側に設置された複合型パネルなど、種々の機能パネルを用いることができる。なお、機能パネルとして太陽光パネルが用いられた場合には、角度に因らず、安定した光エネルギー利用機能が得られる点で有利である。
【００７４】
また、略平坦屋根として、陸屋根を例示したがこれに限定されない。略平坦屋根とは、屋根面全体として捉えたときに、略平坦であればよく、例えば、折板屋根などであってもよい。なお、略平坦屋根として陸屋根を備えている場合には、屋根面に形成される各通路が平坦となるため、作業者が歩行しやすくなる。
【符号の説明】
【００７５】
１…建物、２…屋根梁、３…陸屋根、３ａ…矩形状領域、４…外周縁、５…ベランダ、６…パラペット、３０…架台、５０…太陽光パネル、５０ａ…長辺、５０ｂ…短辺、６５，７３，７６，８５…締結部、Ａ…太陽光パネル配置構造、３ａ…矩形状領域、４Ｓ…南端縁、４Ｎ…北端縁、４Ｅ…東端縁、４Ｗ…西端縁、Ｒ…パネル列、Ｒｆ，Ｒｒ…端パネル列、Ｇ…パネル列群、Ｐ１…東西通路、Ｐ２…南北通路、Ｌａ…梯子（昇降手段）、ＳＰ…空きスペース、Ｗ１，Ｗ２…幅。
【図１】
2016166520.tif 000003
【図２】
2016166520.tif 000004
【図３】
2016166520.tif 000005
【図４】
2016166520.tif 000006
【図５】
2016166520.tif 000007
【図６】
2016166520.tif 000008
【図７】
2016166520.tif 000009
【図８】
2016166520.tif 000010
【図９】
2016166520.tif 000011
【図１０】
2016166520.tif 000012
【図１１】
2016166520.tif 000013
【図１２】
2016166520.tif 000014
【図１３】
2016166520.tif 000015
【図１４】
2016166520.tif 000016
【図１５】
2016166520.tif 000017
【図１６】
2016166520.tif 000018